(57)【要約】      （修正有）【課題】確実なズレ落ち防止効果を得るとともに、違和感の低減による履き心地（使用感）を高め、商品性向上を図ることができるカバーソックスを提供する。【解決手段】ソックス本体２における踵を覆う後面部位の表面２ｆに、ソックス本体２よりも伸縮性の低い弾性ゴム材の塗布により形成した後面層部３ｒ，及びソックス本体２におけるソックス口部２ｏの左右の近傍に位置する側面部位の表面２ｆに、弾性ゴム材の塗布により形成し、かつソックス口部２ｏの前後方向の長さに対して５０〔％〕以上の長さを選定した右側面層部と左側面層部３ｑを有する全体をＵ形状に配したズレ落ち防止層部３を設ける。【選択図】図１
2020090733.tif 000002
【特許請求の範囲】
【請求項１】
足のつま先から踵までを覆い、かつ上方に開口したソックス口部を有する伸縮性のソックス本体を備えるカバーソックスにおいて、前記ソックス本体における前記踵を覆う後面部位の表面に、前記ソックス本体よりも伸縮性の低い弾性ゴム材の塗布により形成した後面層部，及び前記ソックス本体における前記ソックス口部の左右の近傍に位置する側面部位の表面に、前記弾性ゴム材の塗布により形成し、かつ前記ソックス口部の前後方向長さに対して５０〔％〕以上の長さを選定した右側面層部と左側面層部を有する全体をＵ形状に配したズレ落ち防止層部を設けてなることを特徴とするカバーソックス。
【請求項２】
前記弾性ゴム材は、シリコンゴム素材を用いることを特徴とする請求項１記載のカバーソックス。
【請求項３】
前記ソックス本体の表面には、内表面及び／又は外表面を含むことを特徴とする請求項１又は２記載のカバーソックス。
【請求項４】
前記右側面層部及び前記左側面層部は、前記後面層部に対して連続形成することを特徴とする請求項１，２又は３記載のカバーソックス。
【請求項５】
前記右側面層部及び／又は前記左側面層部は、前記後面層部に対して非連続に形成することを特徴とする請求項１，２又は３記載のカバーソックス。
【請求項６】
前記右側面層部及び前記左側面層部は、前記ソックス口部の開口縁部に沿ってライン形状に形成することを特徴とする請求項１〜５のいずれかに記載のカバーソックス。
【請求項７】
前記右側面層部，前記左側面層部，前記後面層部，の少なくとも一つ以上は、前記弾性ゴム材を、前記ソックス本体の表面に対して、スクリーン印刷方式による塗布により形成することを特徴とする請求項１〜６のいずれかに記載のカバーソックス。
【発明の詳細な説明】
【技術分野】
【０００１】
本発明は、パンプス等の靴を履いた際に靴により隠れるようにしたカバーソックスに関する。
【背景技術】
【０００２】
一般に、足のつま先から踵までを覆うことによりパンプス等の靴を履いた際には靴により隠れるようにしたカバーソックスは広く普及しているが、この種のカバーソックスは、足を浅く覆うため、歩行中にズレ落ちたり脱げてしまう難点がある。このため、ズレ防止対策を施すことにより、かかる難点に対処したカバーソックスも提案されている。
【０００３】
従来、このようなズレ防止対策を施したカバーソックスとしては、特許文献１に開示されるレッグウェアが知られている。このレッグウェアは、ズレや脱げを好適に抑制可能なレッググウェアの提供を目的としたものであり、具体的には、足裏を覆う足底部、および踵を覆う踵部を含む、伸縮性を有する本体部と、踵部の内側に設けられ、当該踵部の生地よりも伸縮性が低い滑り止め部とを備え、足底部に対して垂直な方向を縦方向、足底部の幅方向を横方向と定義した場合、滑り止め部は、踵部の生地の縦方向および横方向への伸縮を抑制する帯状部を含むように構成したものである。
【先行技術文献】
【特許文献】
【０００４】
【特許文献１】特開２０１６−１４１９０４号公報
【発明の概要】
【発明が解決しようとする課題】
【０００５】
しかし、上述した特許文献１に開示される従来のレッグウェア（カバーソックス）は、次のような問題点があった。
【０００６】
第一に、摩擦係数（摩擦抵抗）の高い樹脂素材により帯状又はシート状に形成した滑り止め部を、足の皮膚面に当接させて滑り止めを行うとともに、足の踵の後側の部位に対して局所的に当接させるため、確実なズレ防止を図るには限界がある。結局、従来のカバーソックスでは、有効性及び確実性の高いズレ防止対策を確保する観点からは必ずしも十分とはいえない難点があった。
【０００７】
第二に、滑り止め部は、足における所定部位に対して局所的に当接させることから、ある程度のズレ防止効果を確保には、所定の大きさ以上の圧接力を付加する必要がある。しかし、圧接力を大きくした場合、いわば絞め付け感（圧迫感）が強くなるため、違和感が増すことにより履き心地（使用感）が低下するなど、カバーソックス自身の商品性低下を招く難点もあった。
【０００８】
本発明は、このような背景技術に存在する課題を解決したカバーソックスの提供を目的とするものである。
【課題を解決するための手段】
【０００９】
本発明は、上述した課題を解決するため、足Ｈのつま先Ｈｓから踵Ｈｈまでを覆い、かつ上方に開口したソックス口部２ｏを有する伸縮性のソックス本体２を備えるカバーソックス１を構成するに際して、ソックス本体２における踵Ｈｈを覆う後面部位Ｘｒの表面２ｆに、ソックス本体２よりも伸縮性の低い弾性ゴム材Ｒｇの塗布により形成した後面層部３ｒ，及びソックス本体２におけるソックス口部２ｏの左右の近傍に位置する側面部位Ｘｐ，Ｘｑの表面２ｆに、弾性ゴム材Ｒｇの塗布により形成し、かつソックス口部２ｏの前後方向Ｆｓの長さＬｓに対して５０〔％〕以上の長さＬｐ，Ｌｑを選定した右側面層部３ｐと左側面層部３ｑを有する全体をＵ形状に配したズレ落ち防止層部３を設けてなることを特徴とする。
【００１０】
この場合、発明の好適な態様により、弾性ゴム材Ｒｇとして、望ましくはシリコンゴム素材Ｒｇｓを用いることができる。なお、ソックス本体２の表面２ｆには、内表面２ｆｉ及び／又は外表面２ｆｏを含ませることができる。一方、右側面層部３ｐ及び左側面層部３ｑは、後面層部３ｒに対して連続形成してもよいし、右側面層部３ｐ及び／又は左側面層部３ｑは、後面層部３ｒに対して非連続に形成してもよい。また、右側面層部３ｐ及び左側面層部３ｑは、ソックス口部２ｏの開口縁部２ｏｓに沿ってライン形状ＬＦに形成することができる。さらに、右側面層部３ｐ，左側面層部３ｑ，後面層部３ｒ，の少なくとも一つ以上は、弾性ゴム材Ｒｇを、ソックス本体２の表面２ｆに対して、スクリーン印刷方式による塗布により形成することができる。
【発明の効果】
【００１１】
このような構成を有する本発明に係るカバーソックス１によれば、次のような顕著な効果を奏する。
【００１２】
（１）  ソックス本体２における踵Ｈｈを覆う後面部位Ｘｒの表面２ｆに、ソックス本体２よりも伸縮性の低い弾性ゴム材Ｒｇの塗布により形成した後面層部３ｒ，及びソックス本体２におけるソックス口部２ｏの左右の近傍に位置する側面部位Ｘｐ，Ｘｑの表面２ｆに、弾性ゴム材Ｒｇの塗布により形成し、かつソックス口部２ｏの前後方向Ｆｓの長さＬｓに対して５０〔％〕以上の長さＬｐ，Ｌｑを選定した右側面層部３ｐと左側面層部３ｑを有する全体をＵ形状に配したズレ落ち防止層部３を設けてなるため、カバーソックス１を履いた際には、後面層部３ｒに加え、特に、右側面層部３ｐ及び左側面層部３ｑが、いわば足Ｈの上面側を掴むように位置するため、カバーソックス１の、より確実なズレ落ち防止効果を確保できるなど、カバーソックス１が脱げてしまう不具合を有効に解消できる。
【００１３】
（２）  カバーソックス１を履いた際には、右側面層部３ｐ及び左側面層部３ｑの少なくとも前側の一部に、足Ｈの上面に対する載置機能及び係合機能を持たせることができるため、右側面層部３ｐ及び左側面層部３ｑによる圧接力を弱くすることができるとともに、さらに、この効果により、後面層部３ｒによる圧接力も弱くすることが可能になる。したがって、足Ｈに対する弾性ゴム材Ｒｇによる絞め付け感（圧迫感）を全体に緩和させることができ、違和感の低減による履き心地（使用感）を高めることができるなど、カバーソックス１の商品性向上を図ることができる。
【００１４】
（３）  好適な態様により、弾性ゴム材Ｒｇに、シリコンゴム素材Ｒｇｓを用いれば、汎用的な素材の利用により低コストに実施できるとともに、シリコンゴム素材Ｒｇｓの物性により、前述した本発明に係る作用効果を十分に発揮できる良好なズレ落ち防止層部３を得ることができる。
【００１５】
（４）  好適な態様により、ソックス本体２の表面２ｆには、内表面２ｆｉ及び／又は外表面２ｆｏを含ませることができる。特に、右側面層部３ｐ及び左側面層部３ｑの少なくとも前側の一部には、足Ｈの上面に対する載置機能及び係合機能を持たせることができるため、弾性ゴム材Ｒｇの摩擦によるズレ防止機能が存在しない又は少ない場合であっても、一定のズレ防止効果を得ることができる。この結果、右側面層部３ｐ及び左側面層部３ｑをソックス本体２の外表面２ｆｏに形成する選択も可能になり、違和感の低減による履き心地（使用感）を優先させることができるとともに、必要により、模様による外観デザインとしても利用可能になる。
【００１６】
（５）  好適な態様により、右側面層部３ｐ及び左側面層部３ｑを、後面層部３ｒに対して連続形成すれば、ズレ落ち防止層部３の全体を弾性ゴム材Ｒｇにより一体に形成できるため、伸縮性の観点からは最も低い態様、即ち、ズレ防止機能の効果を確保する観点からは最も高い効果を得る態様として実施できる。
【００１７】
（６）  好適な態様により、右側面層部３ｐ及び／又は左側面層部３ｑは、後面層部３ｒに対して非連続に形成すれば、右側面層部３ｐと後面層部３ｒ間及び／又は左側面層部３ｑと後面層部３ｒ間に、ソックス本体２の伸縮性を介在させることができるため、カバーソックス１全体における伸縮性の度合（履き心地）などを任意に調整し、ズレ落ち防止層部３を設けたことに伴うカバーソックス１全体の最適化を図ることができる。
【００１８】
（７）  好適な態様により、右側面層部３ｐ及び左側面層部３ｑを形成するに際し、ソックス口部２ｏの開口縁部２ｏｓに沿ってライン形状ＬＦに形成すれば、ライン形状ＬＦの長さ及び幅などを容易に選定できるため、右側面層部３ｐ及び左側面層部３ｑの伸縮性の度合やズレ防止効果の度合等を容易に設定、即ち、ズレ落ち防止層部３に対する形状面からの最適化を容易に行うことができる。
【００１９】
（８）  好適な態様により、右側面層部３ｐ，左側面層部３ｑ，後面層部３ｒ，の少なくとも一つ以上を形成するに際し、弾性ゴム材Ｒｇを、ソックス本体２の表面２ｆに対して、スクリーン印刷方式による塗布により形成すれば、ズレ落ち防止層部３を形成する弾性ゴム材Ｒｇの塗布処理を、容易かつ迅速に行うことができるとともに、均質性及び品質性の高い塗布処理を行うことができる。
【図面の簡単な説明】
【００２０】
【図１】本発明の好適実施形態に係るカバーソックスを使用者が履いた状態の底面斜視図、
【図２】同カバーソックスを使用者が履いた状態の側面断面図（内面図）、
【図３】同カバーソックスを使用者が履いたときの状態を示す平面図、
【図４】同カバーソックスの非使用状態の側面断面図、
【図５】同カバーソックスの非使用状態の平面図、
【図６】同カバーソックスを裏返した状態の一部を示す平面図、
【図７】同カバーソックスにおけるズレ落ち防止層部の形態説明図、
【図８】同カバーソックスのズレ落ち防止効果を検証する引張試験の説明図、
【図９】同カバーソックスのズレ落ち防止効果を検証するサンプルの説明図、
【図１０】同カバーソックスのズレ落ち防止効果を検証する引張試験の耐水平最大引張力の試験データ、
【図１１】同カバーソックスのズレ落ち防止効果を検証する引張試験の耐垂直最大引張力の試験データ、
【図１２】同カバーソックスの弾性ゴム材の塗布処理工程の説明図、
【図１３】同カバーソックスにおけるズレ落ち防止層部の形状的な各種変更例を示す平面図、
【発明を実施するための形態】
【００２１】
次に、本発明に係る好適実施形態を挙げ、図面に基づき詳細に説明する。
【００２２】
まず、本実施形態に係るカバーソックス１の構成について、図１〜図７を参照して説明する。
【００２３】
カバーソックス１は、図３に示す形態のソックス本体２を備える。このソックス本体２は、図２に示すように、仮想線で示す足Ｈのつま先Ｈｓから踵Ｈｈまでを覆うことができる形態を有し、上面部位には開口したソックス口部２ｏを有する。したがって、このソックス本体２は、公知の繊維素材、一例として、ポリエステル，レーヨン，絹，綿等の繊維素材により、全体として所定の伸縮性を有する縫製したソックスとして製作できる。
【００２４】
また、図３に示すように、ソックス口部２ｏの前側の湾曲縁部と後側の湾曲縁部には、比較的厚めに縫製した口ゴム部２ｏｆと２ｏｒをそれぞれ設けるとともに、口ゴム部２ｏｆの左右両側には、ソックス本体２における左右の周方向に沿う帯状に縫製した絞り弾性部２ｍを設ける。
【００２５】
このソックス本体２は、本実施形態に係るカバーソックス１のための専用のソックス本体２として形成するが、形状や特性等が図３に示すような本実施形態におけるソックス本体２にマッチングする場合には、市販されている一般的なカバーソックスをそのまま利用することも可能である。
【００２６】
一方、図４に示すように、ソックス本体２の内表面２ｆｉ（表面２ｆ）には、本発明に従って、全体がＵ形状となるズレ落ち防止層部３を設ける。即ち、ソックス本体２における踵Ｈｈを覆う後面部位Ｘｒの内表面２ｆｉに後面層部３ｒを形成するとともに、ソックス本体２におけるソックス口部２ｏの左右の近傍に位置する側面部位Ｘｐ，Ｘｑの内表面２ｆｉに右側面層部３ｐと左側面層部３ｑをそれぞれ形成する。後面層部３ｒ，右側面層部３ｐ及び左側面層部３ｑは、それぞれソックス本体２よりも伸縮性の低い弾性ゴム材Ｒｇの塗布により形成する。
【００２７】
この場合、図７に示すように、右側面層部３ｐの前後方向の長さＬｐと左側面層部３ｑの前後方向の長さＬｑは、ソックス口部２ｏの前後方向Ｆｓの長さＬｓに対して５０〔％〕以上、より望ましくは、２／３以上の長さに選定する。図７中、Ｌｐｓは、ソックス口部２ｏの前後方向Ｆｓの長さＬｓに対する前側の１／３領域を示している。したがって、右側面層部３ｐ及び左側面層部３ｑの先端部３ｐｆ，３ｑｆは、この１／３領域Ｌｐｓ内に位置させることが望ましい。
【００２８】
右側面層部３ｐ及び左側面層部３ｑは、図７に示すように、ソックス口部２ｏの開口縁部２ｏｓに沿って比較的幅の狭いライン形状ＬＦに形成する。右側面層部３ｐ及び左側面層部３ｑの幅Ｌｗは、それぞれ、例示の場合、概ね１〜２〔ｍｍ〕前後であり、また、右側面層部３ｐ及び左側面層部３ｑと開口縁部２ｏｓ間の幅Ｌｉは、それぞれ、例示の場合、概ね１〜２〔ｍｍ〕前後である。このように、右側面層部３ｐ及び左側面層部３ｑを形成するに際し、ソックス口部２ｏの開口縁部２ｏｓに沿ってライン形状ＬＦに形成すれば、ライン形状ＬＦの長さ及び幅などを容易に選定できるため、右側面層部３ｐ及び左側面層部３ｑの伸縮性の度合やズレ防止効果の度合等を容易に設定、即ち、ズレ落ち防止層部３に対する形状面からの最適化を容易に行える利点がある。
【００２９】
他方、後面層部３ｒは、図１及び図４に示すように、上側（ソックス口部２ｏ側）に位置する上後面層部３ｒｕと、下側に位置し、かつ所定幅だけ離間した左右一対の下後面層部３ｒｐ，３ｒｑからなり、いずれも横方向へ長く形成する。例示の場合、図７に示すように、上後面層部３ｒｕの上下方向の幅Ｌｒｈは、比較的広幅に形成、即ち、中央位置において、概ね５〜１０〔ｍｍ〕前後に形成する。そして、上後面層部３ｒｕの右端と右側面層部３ｐの後端、さらに、上後面層部３ｒｕの左端と左側面層部３ｑの後端は、それぞれ連続形成する。この場合、上後面層部３ｒｕと右側面層部３ｐ間及び上後面層部３ｒｕと左側面層部３ｑ間には、段差が生じるが、例示の場合、上後面層部３ｒｕの中央位置から左右へ行くに従って漸次幅狭に形成し、上後面層部３ｒｕと右側面層部３ｐ間及び上後面層部３ｒｕと左側面層部３ｑ間は形状的に連続するようにした。
【００３０】
これにより、図４に示すように、ズレ落ち防止層部３は、上後面層部３ｒｕ，下後面層部３ｒｐ，下後面層部３ｒｑ，右側面層部３ｐ及び左側面層部３ｑを含むとともに、全体としてＵ形状に形成される。
【００３１】
一方、弾性ゴム材Ｒｇには、シリコンゴム素材Ｒｇｓが好適である。このようなシリコンゴム素材Ｒｇｓを用いれば、汎用的な素材の利用により低コストに実施できるとともに、シリコンゴム素材Ｒｇｓの物性により、前述した本発明に係る作用効果を十分に発揮できる良好なズレ落ち防止層部３を形成することができる。
【００３２】
弾性ゴム材Ｒｇとしては、シリコンゴム素材Ｒｇｓが好適であるが、その他、各種の弾性ゴム材を用いることができ、バージョンやグレード等に応じて各種弾性ゴム材を選定できる。具体的には、ラテックス系ゴム素材，アクリル系樹脂素材，ポリウレタン樹脂素材，合成材料等の各種弾性ゴム材を用いることができる。なお、弾性ゴム材Ｒｇは、弾性樹脂材も含む概念である。
【００３３】
次に、本実施形態に係るカバーソックス１のズレ落ち防止効果、特に、ズレ落ち防止効果に係わる優位性の検証結果について、図８〜図１１を参照して説明する。
【００３４】
本実施形態に係るカバーソックス１のズレ落ち防止効果の優位性を検証するため、図８に示す測定方法により耐最大引張力の試験を行った。図８（ａ）は水平方向の引張力に対してどの程度まで耐得るか、即ち、カバーソックスがズレ落ちるまでの耐水平最大引張力を測定する引張試験の説明図、図８（ｂ）は垂直方向の引張力に対してどの程度まで耐得るか、即ち、カバーソックスがズレ落ちるまでの耐垂直最大引張力を測定する引張試験の説明図をそれぞれ示す。
【００３５】
この場合、試験用のカバーソックス１ｓを装着した足模型３１を固定治具３０により固定するとともに、上方に引張試験機３２を設置して測定した。図８（ａ）に示す耐水平最大引張力の測定では、カバーソックス１ｓの底面部（水平部）を鉛直方向に設定し、引張試験機３２から下方に繰出される引張ワイヤ３３の下端に固定したフック３３ｆを、カバーソックス１ｓの踵付近の底面部位１ｓｄに引掛けて行なうとともに、図８（ｂ）に示す耐垂直最大引張力の測定では、カバーソックス１ｓの底面部（水平部）を鉛直方向に設定して同様に行った。いずれの場合も、引張ワイヤ３３を分速５ｃｍの速度で引上げ、逐次、引張力（荷重）〔ｋｇｆ〕を測定することにより、得られた最大値を採取した。
【００３６】
また、試験対象として、シリコンゴム素材Ｒｇｓによるズレ落ち防止層部３を異なる塗布パターンにより製作した三種類のカバーソックス１ｓ…を用いた。即ち、図９（ａ）に示すサンプルＡを実施例として用いるとともに、対照例として、同図（ｂ）に示すサンプルＢ及び同図（ｂ）に示すサンプルＣ、さらに、既に販売されている類似形態の他社ソックスＥ１，Ｅ２，Ｅ３，Ｅ４，Ｅ５を用いた。
【００３７】
サンプルＡのカバーソックス１ｓは、ソックス本体２に、後面層部３ｒ，右側面層部３ｐ及び左側面層部３ｑを設けたものであり、いわば、本発明を適用した実施例となる。なお、サンプルＡの後面層部３ｒの長さＬｒｗ（（ｃ）参照）は５〔ｃｍ〕，幅Ｌｒｈ（（ｃ）参照）は７〔ｍｍ〕を選定し、右側面層部３ｐ（左側面層部３ｑも同じ）の長さＬｐは、ソックス口部２ｏの前後方向の長さＬｓに対して５０〔％〕（例示は５〔ｃｍ〕），幅Ｌｗは３〔ｍｍ〕に選定した。サンプルＢのカバーソックス１ｓは、後面層部３ｒ，右側面層部３ｐ及び左側面層部３ｑを設ける点はサンプルＡと同じであるが、右側面層部３ｐ（左側面層部３ｑも同じ）の長さをソックス口部２ｏの前後方向の長さＬｓに対して２５〔％〕（例示は２．５〔ｃｍ〕）に設定した点が異なる。サンプルＣのカバーソックス１ｓは、サンプルＡの後面層部３ｒのみを設け、右側面層部３ｐ及び左側面層部３ｑを設けないものである。なお、他社ソックスＥ１，Ｅ２，Ｅ３，Ｅ４，Ｅ５は、いずれも異なるメーカーである。
【００３８】
以上の試験条件により、測定を行った結果、図１０及び図１１に示す試験データを得た。試験はいずれも３回行なうとともに、それぞれ平均値を算出した。この結果、サンプルＡにおける耐水平最大引張力の平均は、１．１９〔ｋｇｆ〕となり、また、サンプルＡにおける耐垂直最大引張力の平均は、０．４７〔ｋｇｆ〕となり、試験対象の中では、最も良好な結果を得た。一方、サンプルＢは、一定の効果を得れるがサンプルＡよりも効果が低下する。したがって、以上の検証結果から、右側面層部３ｐ（左側面層部３ｑも同じ）の長さＬｐを、ソックス口部２ｏの前後方向の長さＬｓに対して５０〔％〕以上に選定すれば、十分なズレ落ち防止効果が得られることを確認できた。
【００３９】
次に、シリコンゴム素材Ｒｇｓをソックス本体２に塗布する方法の一例について、図１２を参照して説明する。
【００４０】
ソックス本体２の表面２ｆに、シリコンゴム素材Ｒｇｓ（弾性ゴム材Ｒｇ）を塗布するには、スクリーン印刷方式により容易に塗布することができ、これにより、ズレ落ち防止層部３を容易に形成することができる。
【００４１】
シリコンゴム素材Ｒｇｓの塗布に際しては、まず、図１２（ａ）に示すプレート治具Ｍを用意する。図３は、圧力を付与しない自然状態の形状となるソックス本体２を示しているが、この自然状態の形状に対して、やや大きい形状のプレート治具Ｍを用意する。また、未塗布のソックス本体２は、裏返し、この裏返したソックス本体２の中に、プレート治具Ｍを収容する。この状態を図１２（ｂ）に示す。さらに、図示を省略したスクリーン印刷機のスクリーンには、図１２（ｂ）に示すズレ落ち防止層部３の印刷パターンＰｓを印刷するための版をセットする。
【００４２】
そして、印刷時には、プレート治具Ｍを収容したソックス本体２を、スクリーン印刷機の所定位置にセットするとともに、使用するシリコンゴム素材Ｒｇｓをスクリーンの上面にセットする。この後、スクリーンの上面に載せたスキージをホームポジションから移動させ、シリコンゴム素材Ｒｇｓをスクリーン上の版に塗り込めば、図１２（ｂ）に示す印刷パターンＰｓに基づくズレ落ち防止層部３を印刷（塗布）することができる。
【００４３】
印刷が終了したならプレート治具Ｍを収容したソックス本体２を乾燥させ、シリコンゴム素材Ｒｇｓを硬化させる。この際、例えば、半乾燥状態でソックス本体２からプレート治具Ｍを取り除けば、ソックス本体２を、図３に示す自然状態の形状に復帰させることができるため、この状態でシリコンゴム素材Ｒｇｓを硬化させることができる。
【００４４】
例示の場合、右側面層部３ｐ，左側面層部３ｑ及び後面層部３ｒを一緒に印刷したが、各種印刷モーダを適用可能である。例えば、右側面層部３ｐ及び左側面層部３ｑに対してはいわゆる二回塗り（二回印刷）を行うことにより後面層部３ｒに対して厚さを２倍にするなどの印刷手法も採用可能である、また、部分的に他の塗布方式を組合わせる手法等も採用可能である。
【００４５】
このように、右側面層部３ｐ，左側面層部３ｑ，後面層部３ｒ，の少なくとも一つ以上を形成するに際し、弾性ゴム材Ｒｇを、ソックス本体２の表面２ｆに対して、スクリーン印刷方式による塗布により形成すれば、ズレ落ち防止層部３を形成する弾性ゴム材Ｒｇの塗布処理を、容易かつ迅速に行うことができるとともに、均質性及び品質性の高い塗布処理を行える利点がある。
【００４６】
次に、本実施形態に係るカバーソックス１の使用方法及び作用について、図１〜図５を参照して説明する。
【００４７】
本実施形態に係るカバーソックス１は、一般的なカバーソックスと同様に使用することができる。したがって、使用者は、ソックス口部２ｏからカバーソックス１の内部につま先Ｈｓ側から足Ｈを収容して履くことができる。
【００４８】
図１及び図２は、使用者が履いた状態のカバーソックス１を示している。この状態では、後面層部３ｒが踵Ｈｆの後面に当接し、摩擦抵抗により、いわば、従来のカバーソックスと同様にズレ落ちが防止される。一方、本実施形態に係るカバーソックス１においては、この後面層部３ｒの作用に加えて、右側面層部３ｐ及び左側面層部３ｑを備えるため、この右側面層部３ｐ及び左側面層部３ｑの作用によるズレ落ち防止が図られる。即ち、図５に示すように、足Ｈの左右に配される右側面層部３ｐ及び左側面層部３ｑは、いわば足Ｈの上面側を掴むように位置するため、足Ｈの上面に対する載置機能及び係合機能を持たせることができる。この結果、カバーソックス１の、より確実なズレ落ち防止効果を確保できる。
【００４９】
このように、本実施形態に係るカバーソックス１は、基本的な構成として、ソックス本体２における踵Ｈｈを覆う後面部位Ｘｒの表面２ｆに、ソックス本体２よりも伸縮性の低い弾性ゴム材Ｒｇの塗布により形成した後面層部３ｒ，及びソックス本体２におけるソックス口部２ｏの左右の近傍に位置する側面部位Ｘｐ，Ｘｑの表面２ｆに、弾性ゴム材Ｒｇの塗布により形成し、かつソックス口部２ｏの前後方向Ｆｓの長さＬｓに対して５０〔％〕以上の長さＬｐ，Ｌｑを選定した右側面層部３ｐと左側面層部３ｑを有する全体をＵ形状に配したズレ落ち防止層部３を備えるため、カバーソックス１を履いた際には、後面層部３ｒに加え、特に、右側面層部３ｐ及び左側面層部３ｑが、いわば足Ｈの上面側を掴むように位置するため、カバーソックス１の、より確実なズレ落ち防止効果を確保でき、これにより、カバーソックス１が脱げてしまう不具合を有効に解消できる。
【００５０】
また、カバーソックス１を履いた際には、右側面層部３ｐ及び左側面層部３ｑの少なくとも前側の一部に、足Ｈの上面に対する載置機能及び係合機能を持たせることができるため、右側面層部３ｐ及び左側面層部３ｑによる圧接力を弱くすることができるとともに、さらに、この効果により、後面層部３ｒによる圧接力も弱くすることができる。したがって、足Ｈに対する弾性ゴム材Ｒｇによる絞め付け感（圧迫感）を全体に緩和させることができ、違和感の低減による履き心地（使用感）を高めることができるなど、カバーソックス１の商品性向上を図ることができる。
【００５１】
なお、本実施形態に係るカバーソックス１におけるズレ落ち防止層部３は、基本的に、ソックス本体２の内表面２ｆｉに形成するが、必要により、外表面２ｆｏに形成することも可能である。即ち、右側面層部３ｐ及び左側面層部３ｑの少なくとも前側の一部には、上述したように、足Ｈの上面に対する載置機能及び係合機能を持たせている。したがって、弾性ゴム材Ｒｇの摩擦によるズレ防止機能が存在しない又は少ない場合であっても、一定のズレ防止効果を得ることができ、右側面層部３ｐ及び左側面層部３ｑをソックス本体２の外表面２ｆｏに形成する選択も可能になる。この場合、違和感の低減による履き心地（使用感）を優先させることができるとともに、必要により、模様による外観デザインとしても利用可能になる。また、右側面層部３ｐ，左側面層部３ｑ，後面層部３ｒは、内表面２ｆｉと外表面２ｆｏの双方に形成することも可能である。
【００５２】
さらに、本実施形態に係るカバーソックス１は、ズレ落ち防止層部３を構成する右側面層部３ｐ及び左側面層部３ｑを後面層部３ｒに対して連続形成したが、連続形成するか非連続に形成するかは任意である。例示のように、右側面層部３ｐ及び左側面層部３ｑを、後面層部３ｒに対して連続形成した場合には、ズレ落ち防止層部３の全体を弾性ゴム材Ｒｇにより一体に形成できるため、伸縮性の観点からは最も低い態様、即ち、ズレ防止機能の効果を確保する観点からは最も高い効果を得る態様として実施できる。なお、右側面層部３ｐ，左側面層部３ｑの一方又は双方を、後面層部３ｒに対して非連続に形成する例は、図１３で示す変更例により後述する。
【００５３】
次に、本実施形態に係るカバーソックス１におけるズレ落ち防止層部３の形状的な各種変更例について、図１３（ａ）〜（ｄ）を参照して説明する。
【００５４】
図１３（ａ）は、右側面層部３ｐ及び左側面層部３ｑを、後面層部３ｒに対して、隙間Ｓｐ，Ｓｑを介在させることにより非連続に形成した変更例を示す。この場合、いずれか一方にのみ隙間Ｓｐ又はＳｑを設けることにより、左右の伸縮性を異ならせることもできる。このように、右側面層部３ｐ及び／又は左側面層部３ｑは、後面層部３ｒに対して非連続に形成すれば、右側面層部３ｐと後面層部３ｒ間及び／又は左側面層部３ｑと後面層部３ｒ間に、ソックス本体２の伸縮性を介在させることができるため、カバーソックス１全体における伸縮性の度合（履き心地）などを任意に調整し、ズレ落ち防止層部３を設けたことに伴うカバーソックス１全体の最適化を図ることができる。
【００５５】
図１３（ｂ）は、右側面層部３ｐ，左側面層部３ｑ及び後面層部３ｒの全てを、連続した単一のパターンとして形成した変更例を示す。即ち、図４に示した実施形態では、下後面層部３ｒｐ，下後面層部３ｒｑ及び上後面層部３ｒｕをそれぞれ独立した三つのパターンの組合わせにより形成したが、図１３（ｂ）に示す変更例は、下後面層部３ｒｐ，下後面層部３ｒｑ及び上後面層部３ｒｕを連続一体の後面層部３ｒとして形成したものであり、下後面層部３ｒｐ及び下後面層部３ｒｑは排した形態となる。
【００５６】
図１３（ｃ）は、後面層部３ｒの形状的な変更例を示す。図４に示した実施形態では、ズレ落ち防止層部３における後面層部３ｒを半円状に形成したが、図１３（ｃ）に示す変更例は、コの字形となる直線形状部Ｓｓを含ませて形成したものである。したがって、本発明におけるＵ形状とは、本来のＵ形のみならず、コの字形やＶ形など、いわば、後面層部３ｒに対して、右側面層部３ｐ及び左側面層部３ｑが含まれる各種形状を含む概念である。
【００５７】
図１３（ｄ）は、いわば、細長いドット形状部Ｓｄ…を配列させて形成した変更例を示す。この場合、複数の細長いドット形状部Ｓｄ…を組合わせることにより、全体として、Ｕ形状のズレ落ち防止層部３が構成されるようにしたものである。したがって、このズレ落ち防止層部３には、後面層部３ｒ，右側面層部３ｐ及び左側面層部３ｑが含まれる。
【００５８】
なお、図１３（ａ）〜（ｄ）において、図７と同一部分には同一符号を付してその構成を明確にするとともに、その詳細な説明は省略する。このように、図１３（ａ）〜（ｄ）により、四種類のズレ落ち防止層部３の形状を例示したが、ズレ落ち防止層部３は、その他、各種形状により形成することができる。
【００５９】
以上、変更例を含む好適実施形態について詳細に説明したが、本発明は、このような実施形態に限定されるものではなく、細部の構成，形状，素材，数量，数値等において、本発明の要旨を逸脱しない範囲で、任意に変更，追加，削除することができる。
【００６０】
例えば、弾性ゴム材Ｒｇとしてはシリコンゴム素材Ｒｇｓが望ましいが、前述したように、各種弾性樹脂材を含む弾性ゴム材を適用できる。また、右側面層部３ｐ及び左側面層部３ｑは、ソックス口部２ｏの開口縁部２ｏｓに沿ってライン形状ＬＦに形成した場合を例示したが、例示の形状に限定されるものではない。例えば、帯形状等、任意の幅を選定できるとともに、直線形状に限らず、波状などの湾曲形状を含ませてもよい。さらに、一定幅であってもよいし、前後方向に沿って幅を漸次異ならせたり、繰り返しパターンにより変化させてもよいなど、各種形状により実施可能である。一方、右側面層部３ｐ及び左側面層部３ｑに対して、他の面層部を付加する形態であってもよい。例えば、前面層部を追加し、この前面層部を、右側面層部３ｐの先端と左側面層部３ｑの先端間に配置する形態、或いは、この前面層部により、右側面層部３ｐの先端と左側面層部３ｑの先端を連結する形態を採用し、全体をリング形状としてもよい。
【産業上の利用可能性】
【００６１】
本発明に係るカバーソックスは、パンプス等の靴を履いた際に靴により隠れるようにした一般的なカバーソックスをはじめ、フットカバー，レッグウェア等、ズレ落ち防止効果を必要とする類似形態を有する各種ソックス類に利用できる。
【符号の説明】
【００６２】
１：カバーソックス，２：ソックス本体，２ｏ：ソックス口部，２ｏｓ：ソックス口部の開口縁部，２ｆ：ソックス本体の表面，２ｆｉ：ソックス本体の内表面，２ｆｏ：ソックス本体の外表面，３：ズレ落ち防止層部，３ｒ：後面層部，３ｐ：右側面層部，３ｑ：左側面層部，Ｈ：足，Ｈｓ：つま先，Ｈｈ：踵，Ｘｒ：ソックス本体の後部位，Ｘｐ：側面部位，Ｘｑ：側面部位，Ｒｇ：弾性ゴム材，Ｒｇｓ：シリコンゴム素材，Ｆｓ：前後方向，ＬＦ：ライン形状，Ｌｓ：前後方向の長さ，Ｌｐ：右側面層部の長さ，Ｌｑ：左側面層部の長さ
【図１】
2020090733.tif 000003
【図２】
2020090733.tif 000004
【図３】
2020090733.tif 000005
【図４】
2020090733.tif 000006
【図５】
2020090733.tif 000007
【図６】
2020090733.tif 000008
【図７】
2020090733.tif 000009
【図８】
2020090733.tif 000010
【図９】
2020090733.tif 000011
【図１０】
2020090733.tif 000012
【図１１】
2020090733.tif 000013
【図１２】
2020090733.tif 000014
【図１３】
2020090733.tif 000015